(57)【特許請求の範囲】
【請求項１】
原稿が載置される透明部材と、
前記透明部材の下方に設けられ、前記原稿の読取方向に往復移動する読取手段と、
前記読取手段に設けられ、前記透明部材と当接することにより前記透明部材と前記読取手段との間を所定の間隔に保つスペーサ部材と、
前記読取手段の往復移動範囲における前記原稿の読取範囲外に設けられ、当該読取範囲外にて静電気を除去する静電気除去部材と、
前記読取手段が所定の読取位置に停止したまま読取った前記原稿を装置外部に排出するための原稿すくい上げ部材とを備え、
前記読取手段は、所定の読取位置に停止し他の透明部材を介して前記原稿を読取る動作と前記原稿の読取方向に往復移動しながら前記透明部材を介して前記原稿を読取る動作とを行うものであり、
前記読取範囲外は、所定の読取位置における停止位置と往復移動に伴う読取領域との間であり、前記原稿すくい上げ部材の下方に位置すること
を特徴とする画像読取装置。
【請求項２】
前記原稿すくい上げ部材の下部に前記静電気除去部材と電気的に接続される金属板部材を備えること
を特徴とする請求項１記載の画像読取装置。
【請求項３】
前記原稿すくい上げ部材と前記他の透明部材との隙間を塞ぎ前記読取手段に対する導電を抑止する導電抑止部材を備えること
を特徴とする請求項１記載の画像読取装置。
【請求項４】
前記静電気除去部材は、前記読取範囲外において前記スペーサ部材と最も近づくよう配置されること
を特徴とする請求項１記載の画像読取装置。
【請求項５】
前記静電気除去部材は、前記読取範囲外において前記スペーサ部材と接触するよう配置されること
を特徴とする請求項１記載の画像読取装置。
【請求項６】
請求項１乃至請求項５の何れかに記載の画像読取装置と、
前記画像読取装置により前記原稿が読取られることで生成した画像情報に基づき画像を形成する画像形成装置とを備えること
を特徴とする複合装置。
【発明の詳細な説明】
【技術分野】
【０００１】
本発明は、画像読取装置に関するものであり、特に、スキャナやファクシミリ等の画像読取装置又は画像形成装置の上部に当該画像読取装置を備えた複写機や複合装置に関するものである。
【背景技術】
【０００２】
従来、原稿上の画像の読み取りに読取センサを備える画像読取装置において、焦点深度に対する振れを抑えるために、読取面ガラスと読取センサとの間にスペーサ部材を備えるものがあった。このような装置では、読取センサの往復移動に伴い、読取面ガラスとスペーサ部材との間で発生した摩擦帯電による静電気が発生するため、読取センサや電気回路に静電ノイズが混入し、出力画像が乱される恐れがあった。
【０００３】
読取ガラスとスペーサ部材との間で発生した静電気を適切に逃がすために、例えば、特許文献１には、スペーサ部材に導電性部材を用い、発生した静電気を導電クリップと金属フレームを介して逃がす構造を有する画像読取装置について記載されている。
【先行技術文献】
【特許文献】
【０００４】
【特許文献１】特開２００３−２２２９５５号公報
【発明の概要】
【発明が解決しようとする課題】
【０００５】
しかしながら、上記のような従来技術においては、静電気の導通に導電クリップと金属フレームとが用いられるため、部品点数が増える上、装置の組み立てが煩雑となるとともに、金属フレームが用いられることにより、読取センサの装置重量が増加してしまう。その結果、読取センサを駆動させる駆動モータの大トルク化が必要となり、大型モータの導入による装置外形の大型化につながるといった問題があった。
【０００６】
本発明は、このような実情に鑑みてなされたものであり、本発明の課題は、読取センサの往復移動に負荷を与えず、装置の組み立てが容易で、且つ、装置外形の大型化を招く恐れの無い画像読取装置及び複合装置を提供することである。
【課題を解決するための手段】
【０００７】
上記課題を解決するために、本発明に係る画像読取装置は、原稿が載置される透明部材と、前記透明部材の下方に設けられ、前記原稿の読取方向に往復移動する読取手段と、前記読取手段に設けられ、前記透明部材と当接することにより前記透明部材と前記読取手段との間を所定の間隔に保つスペーサ部材と、前記読取手段の往復移動範囲における前記原稿の読取範囲外に設けられ、当該読取範囲外にて静電気を除去する静電気除去部材と、前記読取手段が所定の読取位置に停止したまま読取った前記原稿を装置外部に排出するための原稿すくい上げ部材とを備え、前記読取手段は、所定の読取位置に停止し他の透明部材を介して前記原稿を読取る動作と前記原稿の読取方向に往復移動しながら前記透明部材を介して前記原稿を読取る動作とを行うものであり、前記読取範囲外は、所定の読取位置における停止位置と往復移動に伴う読取領域との間であり、前記原稿すくい上げ部材の下方に位置することを特徴としている。
【０００８】
また、本発明に係る複合装置は、上記構成の画像読取装置と、前記画像読取装置により前記原稿が読取られることで生成した画像情報に基づき画像を形成する画像形成装置とを備えることを特徴としている。
【発明の効果】
【０００９】
本発明によれば、読取センサの往復移動に負荷を与えず、装置の組み立てが容易で、且つ、装置外形の大型化を招く恐れの無い画像読取装置及び複合装置を提供することができる。
【図面の簡単な説明】
【００１０】
【図１】複合装置の外観図である。
【図２】プリンタ部の概略断面図である。
【図３】スキャナ部の概略断面図である。
【図４】図１におけるスキャナ部のＸ−Ｘ断面図である。
【図５】静電気除去部材周辺の要部分解斜視図である。
【図６】読取センサの移動位置を示す模式図である。
【図７】静電気除去部材周辺の要部分解斜視図である。
【図８】変形例に係る構成を説明するための概略断面図である。
【発明を実施するための形態】
【００１１】
以下、本発明の実施形態について図面を参照して説明する。なお、本発明は以下の記述に限定されるものではなく、本発明の要旨を逸脱しない範囲において適宜変更可能である。
【００１２】
［第１の実施形態］
図１は、本実施形態に係る複合装置１の外観図である。複合装置１は、主として記録媒体たる用紙上に画像を形成する画像形成装置としてのプリンタ部２と、原稿上の画像を読取る画像読取装置としてのスキャナ部３とを備える。プリンタ部２とスキャナ部３とは、図示せぬ機械的接続部材によって接続され、図示せぬ電送部材により電気的な接続が得られている。
【００１３】
このような構成を有する複合装置１は、１）スキャナ部３で読取った原稿上の画像に基づく画像データをプリンタ部２へ電送し、プリンタ部２により用紙上に画像を形成する、２）例えば、パソコン等の外部の電子装置からの電気信号を受けて、プリンタ部２により用紙上に画像を形成する、３）スキャナ部３で読取った原稿上の画像に基づく画像データを外部のファクシミリ装置に電送する、４）スキャナ部３で読取った原稿上の画像に基づく画像データを、例えば、パソコンやＵＳＢ（Universal Serial Bus）メモリ等の外部の電子装置に電送する、といった機能を有する。
【００１４】
このような機能を奏する複合装置１において、プリンタ部２の構成について図２を用いて説明する。図２は、プリンタ部２の概略断面図である。なお、本実施形態においては、プリンタ部２として、ＬＥＤ（Light Emitting Diode）タンデムカラー方式により用紙に画像を形成する例について説明するが、これ以外にも、プリンタ部２として、レーザ方式、インクジェット方式、又はドットマトリクスインパクト方式等を用いることができる。
【００１５】
図２に示すように、プリンタ部２は、電子写真方式を用いて用紙に画像を形成し記録することが可能な機構部２０１を内蔵している。そして、プリンタ部２は、機構部２０１の下部に用紙を収納すると共に、機構部２０１に給紙を行う給紙カセット２０２を備える。
【００１６】
給紙ローラ２０３はワンウェイクラッチ機構を内蔵し、給紙カセット２０２から用紙を一枚ずつ繰り出して機構部２０１に供給する。センサ２０４は、給紙ローラ２０３により用紙が繰り出され、通過したことを検知する。レジストローラ２０５は、用紙の斜行を矯正する。センサ２０６は用紙がレジストローラ２０５を通過したことを検知する。搬送ローラ２０７は、レジストローラ２０５により搬送された用紙を機構部２０１に設けられた画像形成ユニット２０８に搬送する。ライトセンサ２０９は、画像形成ユニット２０８内部での画像形成を開始するタイミングを検知する。
【００１７】
画像形成ユニット２０８は、トナーを収容するトナーカートリッジ２１０、チャージローラ２１１、及び感光体ドラム２１２を有する印字プロセスカートリッジ２１３と、転写ローラ２１４を有し、用紙を搬送する搬送ベルトユニット２１５とを備える。
【００１８】
印字プロセスカートリッジ２１３は、例えば、ブラック、イエロー、シアン、マゼンタの４色のトナー像を順次重ね合わせることによりカラー画像を形成するプロセスカートリッジである。各印字プロセスカートリッジ２１３の構成は、トナーカートリッジ２１０に収容されるトナー（色）が異なるのみで他の構成は同一とすることができる。
【００１９】
印字プロセスカートリッジ２１３が有するチャージローラ２１１は、例えば、ステンレス等の金属シャフトと半導電性エピクロロヒドリンゴムとによって構成されている。チャージローラ２１１は、感光体ドラム２１２に対して所定の圧力をもって当接しており、図示せぬ高圧電源から印加された印加電圧に基づき、感光体ドラム２１２の表面を一様均一に帯電させる。
【００２０】
感光体ドラム２１２は、導電性支持体と光導電層とによって構成され、例えば、導電性支持体としてのアルミニウム等の金属シャフトに光導電層としての電荷発生層、及び電荷輸送層が順次積層されて構成された負帯電積層型感光体ドラムである。感光体ドラム２１２は、図示せぬ印字ヘッドから照射された、ＬＥＤ光等の照射光に基づく静電潜像を形成する。感光体ドラム２１２の表面に形成された静電潜像には図示せぬ現像ローラからトナーが供給されることにより、トナー像が現像される。
【００２１】
搬送ベルトユニット２１５は用紙を静電吸着して搬送する無端の搬送ベルトと、印字プロセスカートリッジ２１３の各感光体ドラム２１２の表面に現像されたトナー像を用紙に転写する転写ローラ２１４を有する。転写ローラ２１４は、図示せぬ高圧電源から印加された印加電圧に基づき、感光体ドラム２１２の表面のトナー像を用紙に転写する。
【００２２】
トナー像が転写された用紙は、定着ユニット２１６に搬送される。定着ユニット２１６は、定着ローラと、定着バックアップローラとを備える。定着ローラは、例えば、アルミニウム等からなる中空円筒状の芯金にシリコーンゴムの耐熱弾性層を被覆し、その上にＰＦＡ（テトラフルオロエチレンーパーフルオロアルキルビニルエーテル共重合体）チューブを被服することによって形成されている。そして、その芯金内には、例えば、ハロゲンランプ等の加熱ヒータが設けられている。定着バックアップローラは、例えば、アルミニウム等からなる芯金にシリコーンゴムの耐熱弾性層を被覆し、その上にＰＦＡを被覆した構成であり、定着ローラとの間に圧接部が形成されるように配設されている。定着ローラの表面温度は芯金内の加熱ヒータにより所定の温度に維持されており、印字プロセスカートリッジ２１３において現像されたトナー像が転写された用紙が所定の温度に維持された定着ローラと定着バックアップローラとから形成される圧接部を通過することにより、用紙上のトナーに熱、及び圧力が付与され、当該トナーは溶融し、トナー像が定着される。定着ユニット２１６を通過した用紙は、排出ローラ等の搬送手段を有する排出ユニット２１７によりプリンタ部２外部に排出される。
【００２３】
次に、スキャナ部３の構成について図３を用いて説明する。図３は、スキャナ部３の概略断面図である。
【００２４】
図３に示すように、スキャナ部３は、読取部３０の上方に自動原稿搬送装置２９（ＡＤＦ２９：Auto Document Feeder）を備える。ＡＤＦ２９には、原稿１２をセット可能な原稿トレイ１１が設けられている。そして、原稿トレイ１１の根元近傍には、原稿１２をＡＤＦ２９内部に繰り出すためのピックアップローラ１３が備えられている。更に、ＡＤＦ２９は、ピックアップローラ１３により繰り出された原稿１２を１枚ずつ分離搬送するための分離ローラ１４と、分離ローラ１４の対向位置に設けられた分離バット１６とを備える。
【００２５】
ＡＤＦ２９の外装部材１０内部には、原稿１２の搬送路１５が形成されている。搬送路１５には、搬送ローラ１８が設けられており、これに対向する位置には、プレッシャローラ１９が搬送ローラ１８に圧接して設けられている。原稿押さえ部材２１は、搬送路１５内を搬送された原稿１２を、スプリング２０からの付勢力をもって、読取部３０内部に具備されたＡＤＦ用読取ガラス２２に押付ける。排出ローラ２７及びプレッシャローラ２８は、画像の読み取りが完了した原稿１２をＡＤＦ２９外部に排出する。
【００２６】
読取手段としての読取センサ２３は、その内部に図示せぬ複数の光源と、１ラインに並置された同一の分光感度特性を有する受光素子を備える。光源の数は３つ以上であれば良く、光源の色は異なる分光エネルギー特性であれば何色でもよいが、例えば、光源として、赤、緑、青の３原色を用いた場合、このときのカラー値は、Ｒｅｄ、Ｇｒeｅｎ、Ｂｌｕｅで表されるＲＧＢ値となる。そして、それぞれの光源から照射された光は原稿１２上で反射され、その反射光をレンズアレイといった集光手段５５を介して、例えば、ＣＣＤ（Charge Coupled Device）イメージセンサ等の受光素子たる光電変換素子５４で受光し、Ａ／Ｄ変換等の信号処理を経て、デジタル表現された画像データを得ることができる。また、読取センサ２３には、図示せぬ制御部による制御に基づき、読取部３０内部を図中矢印Ｚ方向、すなわち、受光素子の並置方向である主走査方向に対して垂直方向である副走査方向に往復移動が可能となるように、キャリッジシャフト５６等の搬送手段が接続されている。
【００２７】
ところで、図３に示す状態は、読取センサ２３のＡＤＦ２９読み取りにおける停止位置を示しており、読取センサ２３は、ＡＤＦ用読取ガラス２２を挟んで原稿押さえ部材２１の対向位置で停止している。原稿すくい上げ部材２４は、ＡＤＦ用読取ガラス２２を通過した原稿１２を排出ローラ２７へと導くために原稿１２をすくい上げる。スタッカ部２６は、排出ローラ２７及びプレッシャローラ２８によって排出された原稿１２をスタックする。また、透明部材としてのＦＢ（Flat Bed）用読取ガラス２５は、読取センサ２３による読み取り面積と略同面積を有する透明のガラス板である。
【００２８】
次に、スキャナ部３の内部構成について図４、図５及び図６を用いてより詳細に説明する。図４は、図１におけるスキャナ部３のＸ−Ｘ断面図であり、図５は、本実施形態に係る静電気除去部材周辺の要部分解斜視図である。図６は読取センサ２３の移動位置を示す模式図である。
【００２９】
図４及び図５に示すように、スキャナ部３は上ケース５０と下ケース５１とにより外装が形成されている。上記した原稿すくい上げ部材２４は上ケース５０上に設けられている。
【００３０】
ＦＧ（Frame ground）板５２は、後述する静電気除去部材５９ａ，５９ｂと接触可能となるように主走査方向両端部が略への字形状に形成された金属板部材であり、ＦＢ用読取ガラス２５と上ケース５０との間に挟み込まれている。
【００３１】
スペーサ部材５８ａ，５８ｂは、読取センサ２３の上部の主走査方向両端部に設けられ、ＦＢ用読取ガラス２５と読取センサ２３の搬送手段であるキャリッジシャフト５６との間に挟みこまれている。
【００３２】
静電気除去部材５９ａ，５９ｂは、図６の（５）に示す位置、すなわち、読取センサ２３の往復移動範囲外に設けられ、略Ｚ型を成した一端（先端部）は略三角形となるように形成されている。そして、略三角形の一端は、スペーサ５８ａ，５８ｂ近傍に配置されており、反対側の一端は、本体アースへ接続されているＦＧ線６０と共に下ケース５１にネジにて固定されている。
【００３３】
次に、上記構成を有する複合装置１の動作について説明する。先に、プリンタ部２による画像形成動作について説明し、次いで、スキャナ部３による原稿１２の読取動作、静電気除去部材５９ａ，５９ｂによる静電気除去に係る動作について説明する。
【００３４】
まず、プリンタ部２による画像形成動作について説明する。図２に示す給紙カセット２０２にセットされた用紙は、給紙ローラ２０３により給紙カセット２０２から一枚ずつ繰り出され、レジストローラ２０５により斜行が矯正されながら、搬送ローラ２０７により機構部２０１に設けられた画像形成ユニット２０８の搬送ベルトユニット２１５に搬送される。
【００３５】
画像形成ユニット２０８の印字プロセスカートリッジ２１３において現像されたトナー像は、搬送ベルトユニット２１５により搬送されながら、転写ローラ２１４により用紙上に転写される。トナー像が転写された用紙は定着ユニット２１６に搬送される。定着ユニット２１６により用紙上のトナー像に熱及び圧力が付与され、トナーが溶解することでトナー像が定着する。
【００３６】
トナー像が定着された用紙は、排出ローラ等の搬送手段を有する排出ユニット２１７によりプリンタ部２外部に排出され、プリンタ部２による画像形成動作は終了する。
【００３７】
次に、スキャナ部３による原稿１２の読取動作について説明する。スキャナ部３による読取動作は、読取センサ２３が所定の読取位置に停止したまま、ＡＤＦ２９によって搬送された原稿１２を読み取るＡＤＦ用読取動作と、ＦＢ用読取ガラス２５に載置された原稿１２を読取センサ２３が読取部３０内を副走査方向に移動しながら読み取るＦＢ用読取動作とがある。なお、読取センサ２３の往復移動動作は、キャリッジシャフト５６等の搬送手段と、該搬送手段を制御する図示せぬ制御機構により行われるものである。
【００３８】
まず、ＦＢ用読取動作について説明する。図６に示すように、待機状態において、読取センサ２３は、図中（１）に示すホームポジションに位置している。ここで、ユーザによりＦＢ用読取ガラス２５上の所定位置に原稿１２がセットされ、図示せぬ操作部を介して読取開始の旨が入力されると、図示せぬ制御機構は、キャリッジシャフト５６を駆動させ、読取センサ２３は図中Ｙ方向に移動する。
【００３９】
そして、読取センサ２３は図中（２）に示す位置で一旦停止し、原稿１２の読み取りを開始する。読取センサ２３は図中（４）に示す位置まで移動しながら画像の読み取りを行い、読取動作が完了すると、図中矢印Ｗ方向に移動し、図中（１）に示すホームポジションに戻る。
【００４０】
ここで、複合装置１が上記１）で示した、スキャナ部３で読取った原稿上の画像に基づく画像データをプリンタ部２へ電送し、プリンタ部２により用紙上に画像を形成する機能を行う場合、デジタル表現された画像データは、図示せぬ電送部材によりプリンタ部２に送られ、これを取得したプリンタ部２は、上述した画像形成動作により用紙上に画像を形成する。
【００４１】
次に、ＡＤＦ用読取動作について説明する。図６に示すように、待機状態において、読取センサ２３は、図中（１）に示すホームポジションに位置している。ここで、ユーザにより原稿トレイ１１上に原稿１２がセットされ、図示せぬ操作部を介して読取開始の旨が入力されると、図示せぬ制御機構は、キャリッジシャフト５６を駆動させ、読取センサ２３は図中Ｙ方向に移動する。そして、読取センサ２３は図中（２）に示す位置で停止し、ＡＤＦ２９により搬送される原稿１２を読み取る。
【００４２】
ユーザにより図示せぬ操作部を介して読取開始の旨が入力されると、ＡＤＦ２９のピックアップローラ１３は、図示せぬ駆動手段により伝達された駆動力に基づき回転を開始する。ピックアップローラ１３の回転に伴い、原稿トレイ１１上の原稿１２はＡＤＦ２９内部に繰り出される。
【００４３】
繰り出された原稿１２は、分離ローラ１４と分離パット１６との作用により、分離パット１６側でブレーキが掛かり分離ローラ１４側の原稿１２のみがＡＤＦ２９内部に分離搬送される。分離搬送された原稿１２は、搬送路１５内を進み、搬送ローラ１８とプレッシャローラ１９とにより得られた搬送力を保持したままＡＤＦ用読取ガラス２２上を搬送される。このとき、スプリング２２から付勢力を得た原稿押え部材２１の作用により、原稿１２はＡＤＦ用読取ガラス２２から浮き上がることなく搬送され、読取センサ２３により画像が読み取られる。
【００４４】
読取センサ２３による画像の読み取りが完了した原稿１２は、原稿すくい上げ部材２４により排出ローラ２７方向へ搬送され、排出ローラ２７及びプレッシャローラ２８によりスタッカ部２６に排出される。
【００４５】
ここで、複合装置１が上記１）で示した、スキャナ部３で読取った原稿上の画像に基づく画像データをプリンタ部２へ電送し、プリンタ部２により用紙上に画像を形成する機能を行う場合、デジタル表現された画像データは、図示せぬ電送部材によりプリンタ部２に送られ、これを取得したプリンタ部２は、上述した画像形成動作により用紙上に画像を形成する。
【００４６】
次に、静電気除去部材５９ａ，５９ｂによる静電気除去に係る動作について説明する。
【００４７】
ＦＢ用読取動作において、読取センサ２３が読取部３０内を図５に示す矢印Ｚに示される方向に往復移動する場合、読取センサ２３上部の主走査方向両端部に設けられたスペーサ５８ａ，５８ｂはＡＤＦ用読取ガラス２２とＦＢ用読取ガラス２５とに接触しながら往復移動するために摩擦帯電による静電気が発生する。摩擦帯電により発生した静電気は、読取センサ２３が図６中（５）に示す位置を通過する際に、静電気除去部材５９ａ，５９ｂの三角形を成した先端部が避雷針の役割を果たすため、気中放電により本体アースに逃がされることになる。
【００４８】
また、ＡＤＦ読取動作においても、原稿１２がすくい上げ部材２４を通過する際に摩擦帯電による静電気が発生する。摩擦帯電により発生した静電気は、読取部３０内の、すくい上げ部材２４下方内側に設けられたＦＧ板５２と静電気除去部材５９ａ，５９ｂとの接続により本体アースに逃がされることになる。
【００４９】
以上のように、第１の実施形態によれば、摩擦帯電により発生した静電気を、読取センサに接触することなく除去することができるため、読取センサの往復移動に負荷を与えることを防ぐことができる。また、本実施形態に係る静電気除去部材は構造が簡易であるため、装置の組み立てが容易で、且つ、装置外形の大型化を招く恐れも無い。
【００５０】
［第２の実施形態］
第２の実施形態に係る複合装置の構成は第１の実施形態で説明した複合装置１と略同一である。したがって、第２の実施形態の説明においては、第１の実施形態と同一な箇所についてはその説明を省略し、異なる箇所について説明する。
【００５１】
図７は、本実施形態に係る静電気除去部材周辺の要部分解斜視図である。本実施形態に係る静電気除去部材７１は、読取センサ２３の往復移動範囲外に設けられ、その先端部７２はブラシ状となるように形成されている。そして、先端部７２は、スペーサ５８ａ，５８ｂ近傍に配置されており、反対側の一端は、本体アースへ接続されているＦＧ板７０ａに図示せぬ導電性両面テープにより貼り付けられている。
【００５２】
次に、静電気除去部材７１による静電気除去に係る動作について説明する。
【００５３】
ＦＢ用読取動作において、読取センサ２３が読取部３０内を図５に示す矢印Ｚに示される方向に往復移動する場合、読取センサ２３上部の主走査方向両端部に設けられたスペーサ５８ａ，５８ｂはＡＤＦ用読取ガラス２２とＦＢ用読取ガラス２５とに接触しながら往復移動するために摩擦帯電による静電気が発生する。摩擦帯電により発生した静電気は、読取センサ２３が図６中（５）に示す位置を通過する際に、静電気除去部材７１のブラシ状の先端部７２と接触することで機械的な接続状態となるため、ＦＧ板７０ａを介して本体アースに逃がされることになる。
【００５４】
また、ＡＤＦ読取動作においても、原稿１２がすくい上げ部材２４を通過する際に摩擦帯電による静電気が発生する。摩擦帯電により発生した静電気は、読取部３０内の、すくい上げ部材２４下方内側に設けられたＦＧ板５２と静電気除去部材７１との接続により本体アースに逃がされることになる。
【００５５】
以上のように、第２の実施形態によれば、摩擦帯電により発生した静電気を、読取センサに接触することなく除去することができるため、読取センサの往復移動に負荷を与えることを防ぐことができる。また、本実施形態に係る静電気除去部材は構造が簡易であるため、装置の組み立てが容易で、且つ、装置外形の大型化を招く恐れも無い。また、第２の実施形態によれば、静電気の気中放電に伴う放電ショックが発生することがないので、原稿の読み取りに影響を与えることなく静電気除去を行うことができる。
【００５６】
［変形例］
次に、本発明に係る変形例について説明する。図８の（ａ）は、変形例に係る構成を説明するための概略断面図であり、図８の（ｂ）は、（ａ）の部分拡大図である。
図８（ａ）、（ｂ）に示すように、部品の寸法ばらつきや、組み立てばらつき等により、ＡＤＦ用読取ガラス２２とすくい上げ部材２４との間に隙間Ｓが生じることがある。このような隙間Ｓが形成されると、ＡＤＦ用読取ガラス２２とすくい上げ部材２４とを搬送される原稿１２から隙間Ｓを通過して読取センサ２３に静電気が流れることがある。
【００５７】
これを防止するために、変形例では、図８（ａ）、（ｂ）に示すような導電抑止部材としての導電性テープ部材８０を貼り付ける。導電性テープ部材８０は、例えば、アルミや銅をその材質とすることができるが、導電性を示す性質であれば材質の選択に制限はない。
【００５８】
図８（ｂ）に示すように、導電性テープ部材８０は、隙間Ｓを塞ぎ、ＦＧ板５２と接続するように貼り付けられる。なお、導電性テープ部材８０は、読取センサ２３の主走査方向に延びる、ＡＤＦ用読取ガラス２２とすくい上げ部材２４との接合部分全体に亘って貼り付けられる。このように導電性テープ８０が貼り付けられることで、ＡＤＦ用読取ガラス２２とすくい上げ部材２４とを搬送される原稿１２から摩擦帯電により発生した静電気は、導電性テープ部材８０を導通し、ＦＧ板５２を介して本体アースに逃がされることになる。
【００５９】
本発明は、スキャナやファクシミリ等の画像読取装置や、複写機のように画像読取装置を画像形成装置の上部に備える複合装置に適用可能である。
【符号の説明】
【００６０】
１  複合装置
２  プリンタ部
３  スキャナ部
１１  原稿トレイ
１２  原稿
１３  ピックアップローラ
１４  分離ローラ
１５  搬送路
１６  分離パット
１８  搬送ローラ
１９  プレッシャローラ
２０  スプリング
２１  原稿押さえ部材
２２  ＡＤＦ用読取ガラス
２３  読取センサ
２４  原稿すくい上げ部材
２５  ＦＢ用読取ガラス
２６  スタッカ部
２７  排出ローラ
２８  プレッシャローラ
２９  ＡＤＦ
３０  読取部
５０  上ケース
５１  下ケース
５２  ＦＧ板
５６  キャリッジシャフト
５８ａ，５８ｂ  スペーサ
５９ａ，５９ｂ  静電気除去部材
６０  ＦＧ線
７０ａ  ＦＧ板
７１  静電気除去部材
７２  先端部
８０  導電性テープ部材
２０１  機構部
２０２  給紙カセット
２０３  給紙ローラ
２０４  センサ
２０５  レジストローラ
２０６  センサ
２０７  搬送ローラ
２０８  画像形成ユニット
２０９  ライトセンサ
２１０  トナーカートリッジ
２１１  チャージローラ
２１２  感光体ドラム
２１３  印字プロセスカートリッジ
２１４  転写ローラ
２１５  搬送ベルトユニット
２１６  定着ユニット
【図１】
0005751555.tif 000002
【図２】
0005751555.tif 000003
【図３】
0005751555.tif 000004
【図４】
0005751555.tif 000005
【図５】
0005751555.tif 000006
【図６】
0005751555.tif 000007
【図７】
0005751555.tif 000008
【図８】
0005751555.tif 000009